(57)【特許請求の範囲】
【請求項１】
区分機本体と制御操作ステーションとを具備する郵便物区分装置であって、
前記区分機本体は供給手段を有し、その供給手段は供給部にセットされた郵便物を１つづつ供給し複数の区分ケースの一つに郵便物を集積し区分束を生成し、
前記制御ステーションは記憶手段と、区分処理手段を含む演算手段とを有し、前記記憶手段は区分する郵便物の郵便番号データとその郵便番号の郵便物が連続して何通あるかの通数データからなる区分情報を記憶し、
前記区分処理手段はさらに計数値比較手段と区分ケース切替手段とを含んでおり、前記区分情報に基づいて計数値比較手段は区分ケースに導入された郵便物の計数値で示される前記区分束が設定通数に等しい数に達すると一致出力信号を出力し、前記区分ケース切替手段は前記一致出力信号に基づいて郵便物を導く区分ケースを他の区分ケースに切替えて、後続する同一郵便番号の郵便物を前記切替えられた区分ケースに導くように前記供給手段が集積するように区分処理を行う、
ことを特徴とする郵便物区分装置。
【請求項２】
郵便物に記載された宛名の元データである宛名情報から前記区分情報を生成する区分情報生成手段を有することを特徴とする請求項１記載の郵便物区分装置。
【請求項３】
区分機本体と制御操作ステーションとを具備する郵便物区分装置であって、
前記区分機本体は供給手段と読取手段とを有し、
前記供給手段は供給部にセットされた郵便物を１つづつ供給し複数の区分ケースの一つに郵便物を集積し区分束を生成し、
前記読取手段は前記供給される郵便物に記載されたその郵便物を特定する記載情報であるシーケンス番号を読取り、
前記制御ステーションは記憶手段と、検査手段と区分処理手段を含む演算手段とを有し、
前記記憶手段は前記読取った記載情報を読取情報として記憶し、また区分する郵便物を特定するデータであるシーケンス番号と特定された郵便物が導入される区分ケースを特定するデータからなる行先情報を記憶し、
前記検査手段は前記読取手段によって前記シーケンス番号が読取られない不良印刷物であるか否かを検査し、
前記区分処理手段は前記読取情報と前記行先情報に基づいて前記区分束が設定通数に等しい数に達するまで同一郵便番号の郵便物を前記供給手段が集積するように、また特定の決められた区分ケースに前記不良印刷物を前記供給手段が集積するように区分処理を行う、
ことを特徴とする郵便物区分装置。
【請求項４】
郵便物に記載された宛名の元データである宛名情報から前記行先情報を生成する行先情報生成手段を有することを特徴とする請求項３記載の郵便物区分装置。
【発明の詳細な説明】
【０００１】
【産業上の利用分野】
本発明は、郵便物を区分集積する装置に関し、特に郵便物を区分する前に生成されるその郵便物の区分情報または行先情報に基づいて区分集積する郵便物区分装置に関する。
【０００２】
【従来の技術】
郵便物を区分する技術については特開平５─５４１７２号公報、特開平５─６７２３１号公報等により知られており、これらの公報によれば郵便物の宛名が読取られ、その郵便物は目的地別に区分される。
ところで、従来の郵便物区分装置においては、郵便物の宛名の読取りは１００パーセントの可読率が保証されたものはない。すなわち、誤読した場合の後処理の手数を考慮して、誤読率を低く正読率を高くするため、曖昧な読取りデータが得られた場合には読取不可として処理が行われる。その結果、可読率は低めに設定される。
【０００３】
【本発明が解決しようとする課題】
しかしながら、読取不可として処理される郵便物が多くなると、その郵便物を処理する手数が大きくなり作業効率が低下する。また一般的な“宛名”よりも、読取りの信頼性の高い“シーケンス番号”を読取って区分する場合、郵便物がシーケンス番号順に郵便物区分装置に供給されないと、従来の郵便物区分装置においては、番号順が狂った場合の処理手段を有しないためエラーとなって機械停止し、やはり作業効率が低下する。
そこで本発明の目的は、読取不可の郵便物をなくすか少なくし、また、供給される郵便物の順番が狂っていたり抜けがあったとしても正しい区分を行う郵便物区分装置を提供することにある。
【０００４】
【課題を解決するための手段】
上記目的は、下記の本発明により達成される。すなわち、本発明は、区分機本体と制御操作ステーションとを具備する郵便物区分装置であって、前記区分機本体は供給手段を有し、その供給手段は供給部にセットされた郵便物を１つづつ供給し複数の区分ケースの一つに郵便物を集積し区分束を生成し、前記制御ステーションは記憶手段と、区分処理手段を含む演算手段とを有し、前記記憶手段は区分する郵便物の郵便番号データとその郵便番号の郵便物が連続して何通あるかの通数データからなる区分情報を記憶し、前記区分処理手段はさらに計数値比較手段と区分ケース切替手段とを含んでおり、前記区分情報に基づいて計数値比較手段は区分ケースに導入された郵便物の計数値で示される前記区分束が設定通数に等しい数に達すると一致出力信号を出力し、前記区分ケース切替手段は前記一致出力信号に基づいて郵便物を導く区分ケースを他の区分ケースに切替えて、後続する同一郵便番号の郵便物を前記切替えられた区分ケースに導くように前記供給手段が集積するように区分処理を行うようにした郵便物区分装置である。また本発明は、郵便物に記載された宛名の元データである宛名情報から前記区分情報を生成する区分情報生成手段を有するようにした郵便物区分装置である。
【０００５】
また本発明は、区分機本体と制御操作ステーションとを具備する郵便物区分装置であって、前記区分機本体は供給手段と読取手段とを有し、前記供給手段は供給部にセットされた郵便物を１つづつ供給し複数の区分ケースの一つに郵便物を集積し区分束を生成し、前記読取手段は前記供給される郵便物に記載されたその郵便物を特定する記載情報であるシーケンス番号を読取り、前記制御ステーションは記憶手段と、検査手段と区分処理手段を含む演算手段とを有し、前記記憶手段は前記読取った記載情報を読取情報として記憶し、また区分する郵便物を特定するデータであるシーケンス番号と特定された郵便物が導入される区分ケースを特定するデータからなる行先情報を記憶し、前記検査手段は前記読取手段によって前記シーケンス番号が読取られない不良印刷物であるか否かを検査し、前記区分処理手段は前記読取情報と前記行先情報に基づいて前記区分束が設定通数に等しい数に達するまで同一郵便番号の郵便物を前記供給手段が集積するように、また特定の決められた区分ケースに前記不良印刷物を前記供給手段が集積するように区分処理を行うようにした郵便物区分装置である。また本発明は、郵便物に記載された宛名の元データである宛名情報から前記行先情報を生成する行先情報生成手段を有するようにした郵便物区分装置である。
【０００６】
【作用】
本発明の郵便物区分装置によれば、区分機本体と制御操作ステーションとを具備し、区分機本体は供給手段を有し、その供給手段により供給部にセットされた郵便物が１つづつ供給され、複数の区分ケースの一つに郵便物がを集積されて区分束が生成され、制御ステーションは記憶手段と、区分処理手段を含む演算手段とを有し、その記憶手段において区分する郵便物の郵便番号データとその郵便番号の郵便物が連続して何通あるかの通数データからなる区分情報が記憶され、その区分処理手段はさらに計数値比較手段と区分ケース切替手段とを含んでおり、区分情報に基づいてその計数値比較手段により区分ケースに導入された郵便物の計数値で示される前記区分束が設定通数に等しい数に達すると一致出力信号が出力され、その区分ケース切替手段によりその一致出力信号に基づいて郵便物を導く区分ケースが他の区分ケースに切替えられ、後続する同一郵便番号の郵便物をその切替えられた区分ケースに導くように前記供給手段が集積するように区分処理が行われる。また、本発明の郵便物区分装置によれば、区分情報生成手段により郵便物に記載された宛名の元データである宛名情報から区分情報が生成される。
【０００７】
また本発明の郵便物区分装置によれば、区分機本体と制御操作ステーションとを具備し、区分機本体は供給手段と読取手段とを有し、供給手段により供給部にセットされた郵便物が１つづつ供給され複数の区分ケースの一つに郵便物が集積されて区分束が生成され、読取手段により供給される郵便物に記載されたその郵便物を特定する記載情報であるシーケンス番号が読取られ、制御ステーションは記憶手段と、検査手段と区分処理手段を含む演算手段とを有し、記憶手段において読取った記載情報が読取情報として記憶され、また区分する郵便物を特定するデータであるシーケンス番号と特定された郵便物が導入される区分ケースを特定するデータからなる行先情報が記憶され、検査手段により読取手段によってシーケンス番号が読取られない不良印刷物であるか否かが検査され、区分処理手段により読取情報と行先情報に基づいて区分束が設定通数に等しい数に達するまで同一郵便番号の郵便物を供給手段が集積するように、また特定の決められた区分ケースに前記不良印刷物を前記供給手段が集積するように区分処理が行われる。また本発明の郵便物区分装置によれば、行先情報生成手段により郵便物に記載された宛名の元データである宛名情報から行先情報が生成される。
【０００８】
【実施例】
以下本発明について好適な実施例に基づいて説明する。図１は本発明の郵便物区分装置および周辺装置の構成を示す図である。図１において、１は本発明の郵便物区分装置の制御操作ステーション、２は本発明の郵便物区分装置の区分機本体、３は印字を行って情報札を発行するラベルプリンタ、４はイーサーネット等のＬＡＮ（Local Area Network）、５はキーボード等の入力手段、６はディスプレイ等の出力手段である。
制御操作ステーション１はさらに細部から構成されており、７は記憶装置、８は演算手段である。この制御操作ステーション１の本発明に係る部分はボードコンピュータ、パーソナルコンピュータ、ワークステーション等のコンピュータにより実現できる。さらに制御操作ステーション１はプログラマブルシーケンサーと周辺機器、専用のパターン判別処理装置、等を加えて実現することができる。この制御操作ステーション１を構成する機器の一部は区分機本体２に設ける事もできる。
【０００９】
記憶手段７において、９は郵便物に印字された宛名の元データである宛名情報、１０は区分する郵便物の郵便番号データとその郵便番号の通数データからなる区分情報、１１は区分する郵便物を特定するデータと、特定された郵便物が導入される区分ケースを特定するデータからなる行先情報、１２は区分する郵便物に記載されその郵便物を特定する記載情報を読取って得た読取情報である。
また演算手段８において、１３は郵便物に記載された宛名の元データである宛名情報から区分情報を生成する区分情報生成処理ルーチン、１４は郵便物に記載された宛名の元データである宛名情報から行先情報を生成する行先情報生成処理ルーチン、１５は区分情報または行先情報に基づいて郵便物を区分ケースに導入する処理を行う区分処理ルーチンである。
【００１０】
図２は本発明における郵便物区分の処理過程の一例を示すフロー図である。図１、図２に基づいて本発明の郵便物区分装置における処理過程について説明する。まず、郵便物に印字された宛名に対応する宛名情報９が記憶手段７に読込まれる。元々の宛名情報は郵便物、あるいは郵便物に封入する宛名台紙に宛名を印字するために他のシステムにおいて作成される情報である。その宛名情報は、郵便物の区分束を作りやすいように、郵便番号で昇順にソートされて、データベースシステム等に格納されており、その宛名情報がＬＡＮ４を通じて、またはＦＤ（フロッピーディスク）、ＭＯ（光磁気ディスク）等の記録媒体を用いて、制御操作ステーション１の記憶手段７に読込まれる（Ｓ１）。
次に、宛名情報９から区分情報生成処理ルーチン１３によって区分情報１０が生成される。宛名情報９に基づいて宛名が印字された郵便物は、印字された順番に整列したまま取り扱われ、郵便物区分装置に供給する場合においても、その順番は維持されている。また宛名情報９において同一郵便番号（郵便番号が全く同一の場合と、大分類である郵便番号の上位の桁だけが同一の場合を含む。以下同様とする。）の宛名情報は一連のデータとして一纏まりに記録されている。したがって、宛名情報９から、同一の郵便番号の郵便物が連続して何通あるかの通数データが抽出され、区分する郵便物の郵便番号データとその郵便番号の通数データが得られる。すなわち、区分情報１０が得られる（Ｓ２）。
【００１１】
この区分情報と設定通数データに基づいて区分処理ルーチン１５によって区分処理が行われる。設定通数データは、同一郵便番号の郵便物を区分して得られる区分束に含まれる郵便物の数を決定するデータである。たとえば設定通数は“５０”、“１００”、“２００”のような数である。したがって、同一郵便番号の郵便物が多数ある場合には区分束は複数個作成されることになる。実際は、区分装置本体にある複数の区分ケースの一つには設定通数に等しい数の同一郵便番号の郵便物が集積され、その集積された郵便物が区分束である。この設定通数データは、制御操作ステーション１において、あるいは、区分機本体２においてオペレータが区分束の所定数を設定することによって生成される。
ところで、同一郵便番号の郵便物が少数で設定通数に達しない場合があり、また同一郵便番号の郵便物が多数ある場合においても設定通数に達しない余りが生じる。その場合には、同一郵便番号の郵便物を設定通数に達しないまま１つの区分束とする。そして、続いて区分処理する別の郵便番号の郵便物に対しては新たな区分束を作成するための区分処理を行う。すなわち、別の区分ケースに導入する。処理対象の郵便物の全てについて区分処理を行い終了する（Ｓ３）。
【００１２】
図３は本発明における郵便物区分の処理過程の別例を示すフロー図である。図１、図３に基づいて本発明の郵便物区分装置における処理過程について説明する。まず、郵便物に印字された宛名に対応する宛名情報９が記憶手段７に読込まれる。元々の宛名情報は郵便物、あるいは郵便物に封入する宛名台紙に宛名を印字するために他のシステムにおいて作成される情報である。その宛名情報は、データベースシステム等に格納されており、その宛名情報がＬＡＮ４を通じて、またはＦＤ（フロッピーディスク）、ＭＯ（光磁気ディスク）等の記録媒体を用いオフラインで、制御操作ステーション１の記憶手段７に読込まれる（Ｓ１０１）。
【００１３】
次に、宛名情報９から行先情報生成処理ルーチン１４によって行先情報１０が生成される。宛名情報９に基づいて宛名が印字された郵便物は、印字された順番に整列したまま取り扱われ、郵便物区分装置に供給する場合においても、その順番は通常は維持されている。後述するようにこの例では何らかの理由で順番に狂いが生じても適正な区分が行われる。
宛名情報９および印字された宛名にはその郵便物を特定する情報、たとえばシーケンス番号が含まれる。したがって、シーケンス番号等の郵便物を特定する記載情報とその郵便物の郵便番号との対応データは、宛名情報から得ることができる。この対応データが行先情報１０であり宛名情報９から行先情報生成処理ルーチン１４によって生成される（Ｓ１０２）。
【００１４】
区分される郵便物を区分機本体２の供給部にセットし、制御操作ステーション１より、区分を開始する操作が行われると、区分機本体２の供給部から郵便物が１つづつ供給される。そして郵便物の記載情報、たとえばシーケンス番号は区分機本体２に設けられたＣＣＤカメラ等からなる読取装置によって読取られ、読取情報１２が得られる（Ｓ１０３）。
この読取情報１２に基づいて行先情報１１からその郵便物の郵便番号が特定される。この郵便番号と設定通数データ（前述のＳ３参照）に基づいて区分処理ルーチン１５によって区分処理が行われる。すなわち区分装置本体２にある複数の区分ケースの一つに設定通数に等しい数に達するまで同一郵便番号の郵便物を集積し区分束を得る。ところで、同一郵便番号の郵便物が少数で設定通数に達しない場合があり、また同一郵便番号の郵便物が多数ある場合においても設定通数に達しない余りが生じる。その場合には、同一郵便番号の郵便物を設定通数に達しないまま１つの区分束とする（Ｓ１０４）。
【００１５】
その郵便物の区分処理を終了すると、区分すべき郵便物の残りがあるか否かが判定される。残りの郵便物がある場合は、続く郵便物の記載情報を区分機本体２において読取り読取情報１２を得る。すなわちＳ１０３に戻り、同様の処理を繰り返す。また残りの郵便物がない場合は、郵便物区分処理を終了する（Ｓ１０５）。
【００１６】
図４は本発明の郵便物区分装置およびその周辺装置の一例を示す図である。図４において、１６は宛名情報作成システム、１７はデータストアシステム、１８は印刷物区分システム、１９は情報札発行システムであり、また、２０はこれらのシステムの間でデータ通信するためのイーサーネット等のＬＡＮ（Local Area
Network）である。
宛名情報作成システム１６は、たとえば顧客に対して請求書を郵送するような場合において、顧客名、顧客ＩＤ（identification）、住所等が登録された顧客名簿データと、販売日、販売品目、価格、販売先（顧客ＩＤ）等が登録された販売実績データに基づいて、宛先と請求内容とを抽出してトランザクションデータを生成する。このトランザクションデータ作成時に後処理における郵便物の区分束を作りやすいように、郵便番号順で昇順に顧客データをソートする。さらにトランザクションデータからプリントイメージデータを生成し最終的にはプリントアウトした郵便物を作成する。
トランザクションデータには郵便番号、住所、顧客名、とともにトランザクションデータ中のシーケンス番号（レコード番号）が付けられる。また、その郵便番号に属する郵便物の通数等のデータをトランザクションデータから抽出する。
【００１７】
データストアシステム１７は、宛名情報作成システム１６によって作成されたトランザクションデータ等の宛名情報、あるいは元々の顧客名簿データ等をデータベースとして保存管理するデータベース管理システムである。
たとえば該当する配達先が不明等の理由により郵便物が返戻された場合、その郵便物の宛名情報を無効として次回からはその宛先の郵便物は発行せず要調査対象とする、あるいは宛名情報を修正する等のデータベースを更新する処理が行われる。
【００１８】
印刷物区分システム１８は、宛名情報が印刷された印刷物を宛先ごとに区分する本発明のシステムであり、この例では宛名情報処理手段、計数手段、検査手段、通数区分手段等を有する。
宛名情報処理手段は宛名情報に基づいて事前入力された郵便番号と通数のデータに基づいて区分される郵便物の行き先である区分ケースを決定する。すなわち、区分情報や行先情報を生成し、前述した区分情報生成手段と行先情報生成手段の役割を包含している。
また、計数手段は郵便物移送経路に設けられた郵便物の検知装置の出力信号から郵便物を計数する。計数することにより、さらに同一の郵便番号の郵便物を設定通数（所定数）ごとにまとめて郵便物束を作成する処理が行われる。
また、検査手段は郵便番号、シーケンス番号等の宛名情報を読取り、宛名がプリントアウトされた封入物が正しく封入されているか否かの検査を行う。
また、通数区分手段は、区分情報に基づいて郵便物の設定通数の区分を行う。あるいはシーケンス番号を読取り、行先情報を参照して得た郵便番号により宛先の区分を行い、シーケンス番号により設定通数の区分を行う。
【００１９】
図５は本発明の郵便物区分装置およびその周辺装置（図４参照）による郵便物の処理過程を示すフロー図である。
まず、宛名情報作成システム１６において宛名情報が作成される。前述のように顧客名簿データや販売実績データ等から宛名情報のトランザクションデータを作成する。あるいはリストに基づいて入力する等の方法で作成される。
宛名情報は郵便番号、住所、氏名、シーケンス番号等のフィールドデータからなる１通の郵便物の宛先に記載されるデータであるレコードを、複数の郵便物に相当する数分を集めて構成される（Ｓ２０１）。
次に、その宛名情報はデータストアシステム１７にデータベースとして格納される（Ｓ２０２）。
【００２０】
データストアシステム１７に格納されているデータは、必要に応じてデータの追加削除が行われ更新される。たとえば配達先不明で戻ってきた郵便物に関する返戻情報の有無が確認され（Ｓ２０３）、返戻情報が有る場合には、返戻処理（図４の説明参照）が行われる（Ｓ２０４）。
上述のようにデータストアシステム１７に格納されているデータが適正であるか否かをチェックし適切な処理が行われた後、その宛名情報に基づいてプリントイメージデータが生成されプリントシステム（図示せず）によってプリントアウトされ、他の印刷物とともに封入封緘されて郵便物が作成される。
そして作成された郵便物は、郵便番号別や郵送目的地別に区分された郵便物束（区分束）を作成するため印刷物区分システム１８の供給部にセットされる。
一方、印刷物区分システム１８は上述の宛名情報を読込む（Ｓ２０５）。
【００２１】
印刷物区分システム１８において、セットされた郵便物は１つ々々移送経路上に供給され、その郵便物のプリントアウトされた宛名情報の読取り、郵便物の数の計数が行われる。プリントアウトされた宛名情報の読取りは、移送経路上に設けられたＣＣＤラインセンサカメラ等によって、ラインセンサカメラによる主走査と移送による副走査の結果イメージデータとして読込まれ、宛名情報の内の郵便番号、シーケンス番号、宛名等がパターン判別処理によって判別されコードデータ、すなわち読取情報が得られる。もちろん、シャッター機構やストロボ発光装置とイメージセンサを組合わせたその他の画像入力装置であってもよい。
また、郵便物の計数はイメージデータとして読込むタイミング合わせのセンサ、すなわち郵便物のエッジを検出する、投光ヘッド受光ヘッドから構成されるセンサ等によって検出される（Ｓ２０６）。
【００２２】
次に、郵便物が正しく製造されているか、宛名情報の順番に郵便物が供給されているか等の検査が行われる。たとえば、プリントアウトされた宛名情報の欄に、郵便番号、シーケンス番号、宛名等が記載されているか否かを判定する。この検査により封入物が正しく封入されているか、表裏を間違える等で不正に封入されているかが判定される。
また、コードデータとして得られた宛名情報、すなわち読取情報と、データストアシステム１７から読み込まれた宛名情報との整合性の有無が判定される。たとえば、供給された郵便物の総数とシーケンス番号の一致、ある郵便番号の郵便物の計数値とその郵便番号の宛名情報における通数との一致等である（Ｓ２０７）。
検査の結果が不良郵便物の場合には（Ｓ２０８）、不良内容に応じた異常処理が行われる。たとえば、不良郵便物は特定の決められた区分ケースに集められる。また不良郵便物が連続する等で多数発生する場合には警報を発するとともにシステムを停止する（Ｓ２０９）。そして、Ｓ２０６に戻る。
【００２３】
検査の結果が良品郵便物の場合には（Ｓ２０８）、その郵便物が属すべき区分ケースに収容される。その郵便物が、どの区分ケースに属するかの判断は、読取情報、データストアシステム１７から読み込まれた宛名情報のいずれか、または両者の情報に基づいて行われる。普通はデータストアシステム１７の宛名情報の順番は、プリントシステムにおける印刷順でありプリントアウトされた郵便物が印刷物区分システム１８の供給部にセットされた段階においても郵便物の順番として保持される。
その郵便物がどの区分ケースに属するかが判断されると、移送経路を制御されながら移送されて郵便物はその区分ケースに至り、その区分ケースの切替手段が郵便物の移送にタイミングを合わせて開き、郵便物はその区分ケースに導入される。その際、同時に区分ケースに導入された郵便物の数が計数される。（Ｓ２１０）。
【００２４】
区分ケース内に、設定通数の数の郵便物が導入され、前述の計数装置が出力する計数値データが設定通数と一致した場合、印刷物区分システム１８の計数値比較手段（図示せず）はそのことを検知して一致出力信号を出力する（一致データを生成する）、その一致出力信号により、ディスプレイや区分ケースのインジケータを点灯する等の処置が行われ、その区分ケースが所定の数となったことをオペレータ等に表示する。
さらに、印刷物区分システム１８の区分ケース切替手段（図示せず）はその一致出力信号（一致データ）により、郵便物を導く区分ケースを他の区分ケースに切替えて後続する同一郵便番号の郵便物を切替えられた区分ケースに導くように制御が行われる。
【００２５】
また、印刷物区分システム１８は情報札発行システム１９に一致出力信号に関連するデータ（通数、区分ケースＩＤ、郵便番号）を転送し、情報札発行システム１９において情報札を発行する。情報札には通数と郵便番号が印刷される。なおこの情報札に印刷されるデータは上述のように読取りデータに基づいて行ってもよく、またデータストアシステム１７の宛名情報を情報札発行システム１９に事前に入力しておき、そのデータに基づいて行ってもよい（Ｓ２１１）。
次に、設定通数の郵便物が導入された区分ケースから所定数の郵便物が取出され、情報札とともに束ねられる（Ｓ２１２）。印刷物区分システム１８にセットされ供給される郵便物の残りがある場合にはＳ２０６に戻り上記の動作を繰り返す、郵便物がない場合には終了とする（Ｓ２１３）。
【００２６】
図６は本発明の郵便物区分装置において区分される郵便物一例を示す図である。図６において、２１は郵便番号、２２はシーケンス番号であり、これらの宛名情報（住所、氏名は必ずしも読取る必要がないので図６においては省略されている）は、封筒に収納された用紙（宛名カード）にプリントアウトされており、封筒の透明に形成された窓を通して読取ることができる。
【００２７】
図７は本発明の郵便物区分装置において区分処理される郵便物の内訳の一例を示す図である。
図７（Ａ）は区分処理される前の郵便物の内訳であり、全処理数が１２３４５通、郵便番号が１００の郵便物が２０２３通、郵便番号が１０１の郵便物が１５７４通、郵便番号が１０２の郵便物が９８６通、郵便番号が１０３の郵便物が２４３１通、郵便番号が１０４の郵便物が３１２５通、郵便番号が１０５の郵便物が２２０６通。また設定区分け通数は５０通である。
図７（Ｂ）は区分処理の過程を表に示したもので、郵便物がシーケンス番号の順番に供給される正常時の処理と、郵便物がシーケンス番号の順番に供給されない異常時の処理とを対比して示してある。郵便物のシーケンス番号１，２，３，・・・に対応する指定ＢＯＸ  Ｎｏ．（区分ケースの番号）がＡ，Ｂ，Ｃ，・・・で示されている。この対応データが行先情報１１である。異常時においてはシーケンス番号４の郵便物とシーケンス番号５の郵便物が入れ替わって供給されるが、行先情報１１によって行き先が指定されているので、正しい区分処理が行われる。
【００２８】
図７（Ｃ）は区分処理された後の郵便物の内訳であり、郵便番号が１００の郵便物は通数５０の束が４０束と通数２３の束が１束で２０２３通となり情報札は４１枚発行される。また郵便番号が１０１の郵便物は通数５０の束が３１束と通数２４の束が１束で１５７４通となり情報札は３２枚、郵便番号が１０２の郵便物は通数５０の束が１９束と通数３６の束が１束で９８６通となり情報札は２０枚、郵便番号が１０３の郵便物は通数５０の束が４８束と通数３１の束が１束で２４３１通となり情報札は４９枚、郵便番号が１０４の郵便物は通数５０の束が６２束と通数２５の束が１束で３１２５通となり情報札は６３枚、郵便番号が１０５の郵便物は通数５０の束が４４束と通数６の束が１束で２２０６通となり情報札は４５枚発行される。
【００２９】
【発明の効果】
以上のように本発明によれば、同一郵便番号ごとの区分と同時に設定通数ごとの区分を、読取不可が少なく、番号順違いの郵便物の存在による機械停止なく、行う郵便物区分装置が提供される。
また、本発明の郵便物区分装置においてシーケンス番号を読取って区分する場合には、供給される郵便物の順番が狂っていたり抜けがあっても正しい区分を行うことができる。
【図面の簡単な説明】
【図１】本発明の郵便物区分装置および周辺装置の構成を示す図である。
【図２】本発明における郵便物区分の処理過程の一例を示すフロー図である。
【図３】本発明における郵便物区分の処理過程の別例を示すフロー図である。
【図４】本発明の郵便物区分装置およびその周辺装置の一例を示す図である。
【図５】本発明の郵便物区分装置およびその周辺装置（図４参照）による郵便物の処理過程を示すフロー図である。
【図６】本発明の郵便物区分装置において区分される郵便物一例を示す図である。
【図７】本発明の郵便物区分装置において区分処理される郵便物の内訳の一例を示す図である。
【符号の説明】
１  制御操作ステーション
２  区分機本体
３  ラベルプリンタ
４  ＬＡＮ
５  入力手段
６  出力手段
７  記憶手段
８  演算手段
９  宛名情報
１０  区分情報
１１  行先情報
１２  読取情報
１３  区分情報生成処理ルーチン
１４  行先情報生成処理ルーチン
１５  区分処理ルーチン
１６  宛名情報作成システム
１７  データストアシステム
１８  印刷物区分システム
１９  情報札発行システム
２０  ＬＡＮ
２１  郵便番号
２２  シーケンス番号
【図１】
0003841845.tif 000002
【図２】
0003841845.tif 000003
【図３】
0003841845.tif 000004
【図４】
0003841845.tif 000005
【図５】
0003841845.tif 000006
【図６】
0003841845.tif 000007
【図７】
0003841845.tif 000008